(57)【要約】【課題】排水ソケットを床面に固定した後でも、外部排水管の屈曲部の向きに応じて、洗浄水の流れる方向を変えることができる排水ソケットを提供する。【解決手段】便器の排水口から排水される水を、建物の床面に埋め込まれた外部排水管へと排水するための排水ソケットであって、前記便器の排水口に接続される便器排水口接続部と、前記外部排水管に接続される排水管接続部と、前記便器の排水口から排水される水を前記便器排水口接続部から前記排水管接続部へと導く流路部と、を備えた排水ソケット本体と、前記排水ソケット本体に挿入され、前記外部排水管に排水される水を前記外部排水管の内周の所定方向に偏流させるガイド部材と、を備え、前記ガイド部材は、前記流路部の軸芯まわりに回動自在となるように前記排水ソケット本体に連結されている。【選択図】図１
2014189947.tif 000002
【特許請求の範囲】
【請求項１】
便器の排水口から排水される水を、建物の床面に埋め込まれた外部排水管へと排水するための排水ソケットであって、
前記便器の排水口に接続される便器排水口接続部と、前記外部排水管に接続される排水管接続部と、前記便器の排水口から排水される水を前記便器排水口接続部から前記排水管接続部へと導く流路部と、を備えた排水ソケット本体と、
前記排水ソケット本体に挿入され、前記外部排水管に排水される水を前記外部排水管の内周の所定方向に偏流させるガイド部材と、を備え、
前記ガイド部材は、前記流路部の軸芯まわりに回動自在となるように前記排水ソケット本体に連結されていることを特徴とする排水ソケット。
【請求項２】
前記ガイド部材は、筒形状に形成され、
前記ガイド部材の流入側である入口部は、前記ガイド部材の流出側へ向かうほど縮径するテーパ形状に形成され、
前記ガイド部材の流出側である出口部は、円筒形状に形成され、
前記出口部の軸芯は、前記排水管接続部における前記流路部の軸芯に対し偏心していることを特徴とする請求項１に記載の排水ソケット。
【発明の詳細な説明】
【技術分野】
【０００１】
本発明は、排水ソケットに係わり、特に、便器と建物の床面に埋め込まれた外部排水管とを接続する排水ソケットに関する。
【背景技術】
【０００２】
従来、洗い落とし式の便器であっても、外部排水管の状態によっては、外部排水管の管路が満水になることでサイホン作用が発生してしまい、ボウル内の溜水が引かれてしまうことがあった。
そこで、外部排水管路内に空気芯を形成させ、破封を防止する方法が知られている（特許文献１参照）。特許文献１には、外部排水管路内に螺旋状の凸部を設け、外部排水管路内を流れる排水を螺旋状の凸部に沿って旋回させながら流下させることによって、外部排水管路内に空気芯を形成させる技術が開示されている。
【先行技術文献】
【特許文献】
【０００３】
【特許文献１】特開２００３−１１３９９０号公報
【発明の概要】
【発明が解決しようとする課題】
【０００４】
しかしながら、例えば特許文献１に開示された技術では、外部排水管路に設けられた螺旋状の凸部の位置は予め決まっているため、外部排水管の状態によっては、排水を旋回させる効果が得られずサイホン作用が発生してしまい、ボウル内の溜水が引かれてしまうという問題があった。
【０００５】
本発明は、上記のような事情に鑑みてなされたものであって、排水ソケットを床面に固定した後でも、外部排水管の屈曲部の向きに応じて、洗浄水の流れる方向を変えることができる排水ソケットを提供することを目的とする。
【課題を解決するための手段】
【０００６】
本発明に係る排水ソケットは、便器の排水口から排水される水を、建物の床面に埋め込まれた外部排水管へと排水するための排水ソケットであって、前記便器の排水口に接続される便器排水口接続部と、前記外部排水管に接続される排水管接続部と、前記便器の排水口から排水される水を前記便器排水口接続部から前記排水管接続部へと導く流路部と、を備えた排水ソケット本体と、前記排水ソケット本体に挿入され、前記外部排水管に排水される水を前記外部排水管の内周の所定方向に偏流させるガイド部材と、を備え、前記ガイド部材は、前記流路部の軸芯まわりに回動自在となるように前記排水ソケット本体に連結されている。これにより、排水ソケットを床面に固定した後でも、外部排水管の屈曲部の向きに応じて、ガイド部材を回動することができる。そのため、現場の外部排水管の屈曲部の向きに応じて、サイホン作用が起こりにくい状態で排水ソケットを施工することができる。よって、便器が洗い落とし式などリフィール機能をもっていない場合にサイホン作用が発生して便器のトラップ部が封水切れを起こすことを防止することができる。
【０００７】
また、本発明に係る排水ソケットにおいては、好ましくは、前記ガイド部材は、筒形状に形成され、前記ガイド部材の流入側である入口部は、前記ガイド部材の流出側へ向かうほど縮径するテーパ形状に形成され、前記ガイド部材の流出側である出口部は、円筒形状に形成され、前記出口部の軸芯は、前記排水管接続部における前記流路部の軸芯に対し偏心していることを特徴とする。これにより、ガイド部材をシンプルな構成にすることができる。そのため、汚物を排水する際に、汚物の流れを阻害しないように、便器から排水ソケットを介して外部排水管に排水される水を、意図した方向に偏流させることができる。
【発明の効果】
【０００８】
本発明によれば、排水ソケットを床面に固定した後でも、外部排水管の屈曲部の向きに応じて、洗浄水の流れる方向を変えることができる
【図面の簡単な説明】
【０００９】
【図１】本発明の一実施形態に係る排水ソケットを備えた便器本体および外部排水管を示す断面図である。
【図２】本発明の一実施形態に係る排水ソケットの断面図である。
【図３】本発明の一実施形態に係る排水ソケット本体の断面図である。
【図４】本発明の一実施形態に係るガイド部材の断面図である。
【図５】本発明の一実施形態に係るガイド部材の平面図である。
【図６】本発明の一実施形態に係る排水ソケットの底面図である。
【図７】本発明の一実施形態に係る排水ソケットを備えた便器本体および他の外部排水管を示す断面図である。
【発明を実施するための形態】
【００１０】
本発明の実施形態について、図面を用いて説明する。
図１は、本発明の実施形態に係る排水ソケットを備えた便器を示す断面図である。
【００１１】
図１に示すように、この実施形態において、便器１は、汚物を受けるボウル部２を有しており、ボウル部２の下流には、ボウル部２から汚物を排水するための排水路３が形成されている。排水路３には、ボウル部２とは反対側の端部に、床面Ｆに向けて開口した排水口３ａが形成されている。また、床面Ｆに外部排水管４が埋設されており、下流側が便器の前方方向（紙面右方向）に屈曲している。外部排水管４の上流側には、上方に向けて開口した排水管開口部４ａが形成されている。排水路３と外部排水管４との間には、これらを接続するための排水ソケット５が設けられている。
なお、一点鎖線Ａは、排水管接続部６２における流路部６３の軸芯（排水管開口部４ａの軸芯（図２参照））を示しており、点線Ｂは、後述するガイド部材７の出口部７１の軸芯を示している。
【００１２】
次に、本発明の実施形態に係る排水ソケットについて図２〜図６を用いて説明する。
図２は、本発明の実施形態に係る排水ソケットの断面図である。図３は、本発明の実施形態に係る排水ソケット本体の断面図である。また、図４は、本発明の実施形態に係るガイド部材の断面図であり、図５は、本発明の実施形態に係るガイド部材の平面図である。図６は、本発明の実施形態に係る排水ソケットの底面図である。
【００１３】
排水ソケット５は、図２に示すように、大きく分けると、排水ソケット本体６と、ガイド部材７との２部材で構成されている。ガイド部材７は、排水ソケット本体６に挿入される。
【００１４】
図３に示すように、排水ソケット本体６は、流入側に、便器１の排水口３ａに接続される便器排水口接続部６１が設けられており、流出側に、外部排水管４に接続される排水管接続部６２が設けられている。さらに、便器１の排水口３ａから排水される水を便器排水口接続部６１から排水管接続部６２へと導く流路部６３が設けられている。なお、排水ソケット本体６の中間部において、流路部６３には、流出側に向けて縮径するテーパ部６４が設けられている。
【００１５】
図４および図５に示すように、ガイド部材７は、筒形状に形成されている。ガイド部材７の流出側である出口部７１は、円筒形状に形成されている。また、ガイド部材７の流入側である入口部７２は、ガイド部材７の流出側、すなわち出口部７１側へ向かうほど縮径するテーパ形状に形成されている。
【００１６】
図５に示すように、ガイド部材７の出口部７１の軸芯Ｂは、ガイド部材７の流入側の端部の中心に対し偏芯している。
【００１７】
図２に示すように、排水ソケット本体６の流入側から流路部６３内にガイド部材７が挿入されると、ガイド部材７のテーパ形状に形成された入口部７２と流路部６３のテーパ部６４が接触し、それ以上ガイド部材７は、排水ソケット本体６に挿入されない。このようにして、ガイド部材７は、流路部６３の軸芯まわりに回動自在となるように排水ソケット本体６に連結されている。
【００１８】
また、図６に示すように、ガイド部材７の出口部７１の軸芯Ｂは、排水管接続部６２における流路部６３の軸芯Ａに対し偏芯している。よって、ガイド部材７に流れてきた水は、テーパ形状に形成された入口部７２を通り、円筒形状に形成された出口部７１へと流れていく際に、外部排水管４の内周の所定方向に偏流される。
なお、図６において、点線は、排水ソケット本体６を示し、実線は、ガイド部材７を示す。
また、本実施例においては、外部排水管４と排水ソケット５とが接続されると、排水管接続部６２における流路部６３の軸芯と外部排水管４の排水管開口部４ａの軸芯とは等しくなるため、ガイド部材７の出口部７１の軸芯Ｂは、外部排水管４の排水管開口部４ａの軸芯Ａに対しても偏芯している。
【００１９】
次に、便器１と外部排水管４とを排水ソケット５によって接続する手順を説明する。
まず、ガイド部材７を排水ソケット本体６に挿入する。次に、排水ソケット本体６の排水管接続部６２に外部排水管４の排水管開口部４ａを挿入させることで、排水ソケット５と外部排水管４とが接続される。その後、ガイド部材７を回動させ、外部排水管４に排水される水を偏流させる方向を決定する。そして、排水ソケット本体６の便器排水口接続部６１に便器１の排水口３ａを挿入させることで、便器１と排水ソケット５とが接続される。このようにして、排水ソケット５により、便器１と外部排水管４とが接続される。
【００２０】
ここで、本実施形態では、外部排水管４は、便器の前方方向（図１における紙面右方向）に屈曲している。そのため、外部排水管４に排水される水を偏流させる方向が外部排水管４の屈曲している方向とは反対の方向（図１における紙面左方向）となるように、ガイド部材７を回動させている。すなわち、ガイド部材７の出口部７１の軸芯Ｂを、排水管接続部６２における流路部６３（外部排水管４の排水管開口部４ａ）の軸芯Ａに対し、図１における紙面左方向に偏芯させている。
なお、排水ソケット本体６にガイド部材７を挿入させるタイミングは、排水ソケット本体６を床面Ｆに固定させたあとでもよい。また、外部排水管４に排水される水を偏流させる方向は、外部排水管４の屈曲している方向とは反対の方向とは限らず、ガイド部材７を回動させ調整してよい。
【００２１】
次に、図１のように、ガイド部材７を排水ソケット本体６に連結させた場合の水の流れを説明する。
便器洗浄時には、ボウル部２から排水される水は、排水路３を通って排水口３ａへと排水される。そして、便器１の排水口３ａから排水された水は、排水ソケット５の流路部６３を流れていく際に、流路部６３内に挿入されたガイド部材７内を流れる。ガイド部材７内に流れてきた水は、テーパ形状に形成された入口部７２を通り、円筒形状に形成された出口部７１へと流れていく。このとき、ガイド部材７内に流れてきた水は、このガイド部材７により、外部排水管４が屈曲している方向とは反対の方向の外部排水管４の内周に偏流される。
【００２２】
このように、ガイド部材７の出口部７１の軸芯Ｂを、排水管接続部６２における流路部６３（外部排水管４の排水管開口部４ａ）の軸芯Ａに対し偏芯させることで、外部排水管４に排水させる水を、外部排水管４の内周において、外部排水管４が屈曲している方向とは反対の方向に偏流させることができる。これにより、外部排水管４内での排水の停滞を抑制することができ、サイホン作用の発生を抑制することができる。よって、便器が洗い落とし式などリフィール機能をもっていない場合に、サイホン作用が発生して便器１の排水路３が封水切れを起こすことを防止することができる。
【００２３】
さらに、ガイド部材７は、排水ソケット本体６に対し、流路部６３の軸芯まわりに回動自在となるように連結されているため、排水ソケットを床面に固定した後でも、ガイド部材７を回動することができる。そのため、ガイド部材７を回動させることで外部排水管４に排水させる水を偏流させる方向を変えることができる。すなわち、現場の外部排水管４の屈曲している方向に応じて、サイホン作用が起こりにくい状態で排水ソケット５を施工することができる。よって、現場の状況に応じて、便器１が洗い落とし式などの場合にサイホン作用が発生して便器１の排水路３が封水切れを起こすことを防止することができる。
【００２４】
次に、図７を用いて、屈曲している方向が図１とは異なる外部排水管と便器とを排水ソケット５によって接続する場合について説明する。図７は、本発明の一実施形態に係る排水ソケットを備えた便器本体および他の外部排水管を示す断面図である。
【００２５】
図７に示すように、外部排水管８は、床面Ｆに埋設されており、下流側が便器の後方方向（紙面左方向）に屈曲している。外部排水管８の上流側には、上方に向けて開口した排水管開口部８ａが形成されている。便器１や排水ソケット５などの他の構成については、図１と同様であるため説明を省略する。
【００２６】
まず、ガイド部材７を排水ソケット本体６に挿入する。次に、排水ソケット本体６の排水管接続部６２に外部排水管８の排水管開口部８ａを挿入させることで、排水ソケット５と外部排水管８とが接続される。その後、外部排水管８に排水される水を偏流させる方向が外部排水管８の屈曲している方向とは反対の方向（図７における紙面右方向）となるように、ガイド部材７を回動させる。すなわち、ガイド部材７の出口部７１の軸芯Ｂを、排水管接続部６２における流路部６３（外部排水管８の排水管開口部８ａ）の軸芯Ａに対し、図７における紙面右方向に偏芯させている。そして、排水ソケット本体６の便器排水口接続部６１に便器１の排水口３ａを挿入させることで、便器１と排水ソケット５とが接続される。このようにして、排水ソケット５により、便器１と外部排水管８とが接続される。
【００２７】
なお、排水ソケット本体６にガイド部材７を挿入させるタイミングは、排水ソケット本体６を床面Ｆに固定させたあとでもよい。また、外部排水管８に排水される水を偏流させる方向は、外部排水管８の屈曲している方向とは反対の方向とは限らず、サイホン作用が発生しないように、ガイド部材７を回動させて調整してよい。
【００２８】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００２９】
１  便器本体
２  ボウル部
３  排水路
３ａ排水口
４、８  外部排水管
４ａ、８ａ  排水管開口部
５  排水ソケット
６  排水ソケット本体
６１  便器排水口接続部
６２  排水管接続部
６３  流路部
６４  テーパ部
７  ガイド部材
７１  出口部
７２  入口部
【図２】
2014189947.tif 000003
【図３】
2014189947.tif 000004
【図４】
2014189947.tif 000005
【図５】
2014189947.tif 000006
【図６】
2014189947.tif 000007
【図１】
2014189947.tif 000008
【図７】
2014189947.tif 000009